(57)【要約】  本特許発明の、任意の種類の自動車の中で使用される場合に携帯電話装置を遮断するシステム（１）は、道路安全性の分野に対して、より具体的には交通事故防止の領域に対して意図されたものであり、本システム（１）は、携帯電話呼出しを行うための、又は携帯電話呼出しを受けるための、携帯電話装置の使用を禁止し、これによって、運転者が注意を怠り、且つ事故を引き起こすことを防止する。本システム（１）は、センサ及び他の構成要素を備え付けた電気電子装置によって構成され、ここでこれらのセンサ及び他の構成要素は、自動車内部の中に、より具体的には車室の中に電磁気的隔離を創り出すであろう。そして該電磁気的隔離は、携帯電話装置（６）によって送信される信号（４）又は受信される信号（５）のいずれかを隔離するであろう。更に注目すべきことであるが、動作時には、運転者が呼出し受信キーを押すか、又は呼出し受信キーを活性化させる場合、装置上に取り付けられたセンサが特定の構成要素を誘発し、該特定の構成要素は、電磁気的隔離（２）を創り出すであろう。これによって、携帯電話装置（６）の使用開始をセンサによって捉える場合の信号対雑音比を増加させる。このことは、自動車（３）が移動している場合、又は自動車が起動されている場合はいつでも当てはまり、このようにして、携帯電話呼出しを受信することと同様、携帯電話呼出しを行うことを回避する。即ち、自動車が停止されており、且つ起動されていない場合、携帯電話装置は、正常に使用することが可能である。【選択図】図１
2018525851.tif 000002
【特許請求の範囲】
【請求項１】
任意の種類の自動車の中で使用される場合に携帯電話装置を遮断するシステム（１）であって、
該システム（１）は、道路安全性の分野に対して、より具体的には交通事故防止の領域に対して意図されたものであり、該システム（１）は、前記自動車が移動している場合に、又は前記自動車が起動されている場合に、携帯電話呼出しを行うための、又は携帯電話呼出しを受けるための、前記携帯電話装置（６）の使用を禁止し、即ち、前記自動車が停止されており、且つ起動されていない場合、前記携帯電話装置は、正常に使用することが可能であり、それ故に、運転者が注意を怠り、且つ事故を引き起こすことを防止する、任意の種類の自動車の中で使用される場合に携帯電話装置を遮断するシステム（１）において、
該システム（１）は、センサを備え付けた電気電子装置によって構成され、該センサは特定の構成要素を誘発することになるが、これによって電磁気的隔離（２）創り出し、該電磁気的隔離（２）は、前記携帯電話装置（６）によって送信される信号（４）又は受信される信号（５）のいずれかを隔離することになる、任意の種類の自動車の中で使用される場合に携帯電話装置を遮断するシステム（１）。
【発明の詳細な説明】
【技術分野】
【０００１】
本特許発明の記述は、任意の種類の自動車の中で使用される場合に携帯電話装置を遮断するシステムに関し、そこでは携帯電話装置を遮断するシステムは、携帯電話に関する呼出しを行うこと及び呼出しを受けることを回避するが、このような回避は、特に自動車の運転者が、関連する呼出しを行う者、又は呼出しを受ける者である場合に行われる。
【０００２】
任意の種類の自動車の中で使用される場合に、携帯電話装置を遮断するこのシステムの範囲は、それ自身の題名が示すように、道路安全性の分野、具体的には交通事故防止の領域に関する。
【０００３】
任意の種類の自動車の中で使用される場合に、携帯電話装置を遮断するこのシステムの主な目的は、前の段落で述べたように、交通事故の防止である。その理由は、本システムを使用することによって、自動車が移動している場合、又は自動車が起動されている場合、呼出しを行うこと、又は呼出しを受けることのいずれにせよ、携帯電話装置を使用することが禁止されるからである。即ち、自動車が停止されており、且つ起動されていない場合、携帯電話は正常に使用することが可能であり、これによって、運転者が注意を怠り、且つ事故を引き起こすことを防止する。
【背景技術】
【０００４】
現在、幾つかの種類の携帯電話信号遮断装置が存在する。これらは、ある一定の領域又はエリアで、携帯電話システムを通して任意の接続を行えること、又は任意の接続を受けられることを妨げる能力を有する装置である。このことは、次のことを強調している。即ち、現在まで、自動車内で使用される場合、携帯電話装置の信号を遮断することを目的としたものは、何も開発されていないということである。
【０００５】
携帯電話装置を遮断することを実施するためには、２つの基本的な動作原理を知ることが必要である。第１の原理は、中央装置と携帯電話装置との間のメッセージ交換に関し、そして第２の原理は、受信された信号と、電話が位置している場所の周囲雑音との間の関係に関する。
【０００６】
従って、電話呼出しを行うためには、人は番号をダイヤルし、且つ、その後、ＳＥＮＤキーを押さなければならない。そうすることによって、電話は、この番号をメッセージの中に配置し、特定の周波数で変調を行い、且つ携帯電話装置により近い再隣接の移動局ユニットに信号を送信する。必要な接続を達成し、且つ携帯電話呼出しを完成できるようにするためには、移動局は送られた信号を受信し、メッセージを復調すると共に、関連する携帯電話が呼び出そうとする番号を「読み取る、又は理解する」ことが可能でなければならない。
【０００７】
携帯電話呼出しを受けるためには、携帯電話システムは、どれが携帯電話装置により近い、再隣接の移動局であるかを認識することが必要である。このために、全ての携帯電話装置は、特定のチャンネルに合わせるが、ここで特定のチャンネル（全てのシステム局によって送られる）は、呼出しの情報を含む。全ての端末は、全てのシステムの呼出しに関連する情報を受信するが、しかし、各電話又は各携帯電話装置の通し番号が異なるために、それぞれの携帯電話装置に向けられたものだけを読み取ることが可能である。
【０００８】
インターネットへの接続（幾つかのデジタルネットワークで許可されているサービス）に対してさえも、メッセージを交換することが更に必要である。データ、音声及びメッセージの伝送は、移動局及に対して、及び携帯電話装置に対して、異なる周波数で行われるが、これによって、干渉を回避する間隔が残される。
【０００９】
変調されているメッセージを復調するために、携帯電話及び移動局は、最小限の信号レベルを受信しなければならない。最小限の信号レベルとは、それが周囲雑音と比較される場合、雑音比によって最小限の信号関係を提供するものである。雑音とは、その周波数で存在する全てのＲＦ信号の合計である。もし信号対雑音比があまりに悪い場合には、もし移動局又は携帯電話装置が、自身の伝送パワーを増加させた場合でさえも、交換されたメッセージを「聞く」ことはできないであろう、即ち、交換された全ての情報を復調することはできないであろう。次のことは明確にしなければならない。即ち、もし雑音レベルがあまりに大きい場合には、両方が高パワーで送信する場合でさえも、移動局と携帯電話端末との間で通信を確立できないであろう、ということである。
【発明の概要】
【課題を解決するための手段】
【００１０】
任意の種類の自動車の中で使用される場合に携帯電話を遮断するこのシステムによって提供される技術的進歩は、携帯電話装置の使用の開始をセンサによって捉える際の、信号対雑音比を増加させるのに必要な技術的要素の開発からなるが、これは、自動車が移動している場合、又は自動車が起動されている場合のことであり、従って、その技術的進歩によって、携帯電話呼出しを受けることと同様、携帯電話呼出しを行うことが回避されるであろう。即ち、自動車が停止されており、且つ起動されていない場合、携帯電話装置は正常に使用することが可能である。
【００１１】
任意の種類の自動車の中で使用される場合に携帯電話装置を遮断するこのシステム（本特許発明の応用の対象物）が、いかに構成されるかについての徹底的且つ完全な図を得るために、例証的な図が本明細書と共に添付され、その図に対して、以下に示すような参照がなされる。
【図面の簡単な説明】
【００１２】
【図１】任意の種類の自動車内で使用される場合の、携帯電話装置の概略図を表したものである。
【発明を実施するための形態】
【００１３】
この記述の一部を、伴うと共に形成する図面から推測されるように、任意の種類の自動車の中で使用される場合に携帯電話装置を遮断するシステム（１）は、道路安全性の分野に対して、より具体的には交通事故防止の領域に対して意図され、該システム（１）は、自動車が移動している場合に、又は自動車が起動されている場合に、携帯電話呼出しを行うための、又は携帯電話呼出しを受けるための、携帯電話装置の使用を禁止し、従って、運転者が注意を怠り、且つ事故を引き起こす可能性を回避する。ここで該システム（１）は、センサ及び他の構成要素を有する電気電子装置によって構成され、これらのセンサ及び他の構成要素は、電磁気的隔離（２）を自動車内部（３）の中に、より具体的には車室の中に創り出すであろう。そして該車室は、携帯電話装置（６）によって送信された信号（４）又は受信された信号（５）のいずれかを隔離するであろう。
【００１４】
動作時には、もし運転者がダイヤルするか、又は呼出し受信キーを作動させる場合、装置上に取り付けられたセンサが特定の構成要素を誘発し、該構成要素は電磁気的障壁（２）を創り出すであろう。該電磁気的障壁（２）は、携帯電話装置（６）の使用の開始をセンサによって捉える場合の、信号対雑音比を増加させるが、このことは、自動車（３）が移動中であるか、又は自動車が起動されている場合にはいつでも当てはまり、このようにして、呼出しを受けることと同様、呼出しを行うことを回避する。即ち、自動車が停止されており、且つ起動されていない場合、携帯電話装置は、正常に使用することが可能である。
【００１５】
任意の種類の自動車の中で使用される場合に携帯電話装置を遮断するシステム（１）を参照しながら、説明され且つ例示されてきた全ての事柄について、次のことが注目される。即ち、該システム（１）は、特許発明を支配する規則の範囲内に完全に適合し、且つ該システム（１）は、市場における重要なギャップを満たさなければならない。それ故に、前に説明され且つ例示されてきた全ての事柄に関して、該システム（１）は、自身のそれぞれの特典に値する。
【図１】
2018525851.tif 000003
【国際調査報告】
2018525851.tif 000004
2018525851.tif 000005
2018525851.tif 000006
2018525851.tif 000007